(57)【特許請求の範囲】
【請求項１】
被介護者を載せて浴槽に浸漬することができる寝台であって、座部と、当該座部の後部側に設けられ基端部において当該座部に対して垂直面内で回動可能に連結される背もたれ部と、当該背もたれ部の前記座部に対する傾斜角度を起立方向にラチェット式に段階的に切り替える切り替え機構とを備え、
前記切り替え機構は、前記座部の後部の左右両側に設けられるブラケットに支持され前記座部の左右に渡るように配置されるロック軸と、前記背もたれ部の基端側の左右両側に設けられ当該背もたれ部の傾斜角度の各段階において前記ロック軸とラチェット式に係脱する複数の係合凹部を具備するギア部材とを具備し、
前記ロック軸は、前記ギア部材の係合凹部に係合して前記背もたれ部の転倒方向の回動を抑止する支持位置と係合凹部から離脱した解放位置との間で軸線直交方向に移動自在で、支持位置側に付勢されると共に、前記ギア部材と対向したとき当該ギア部材との係合が解除される解除凹部を延長途上に有し、当該解除凹部が前記ギア部材に対向する解除位置と対向しない非解除位置との間を軸線方向に移動操作可能に構成されることを特徴とする介護用入浴寝台。
【発明の詳細な説明】
【技術分野】
【０００１】
本発明は、被介護者が寝台に着座した状態で介護者がリフト装置等を用いて被介護者を寝台とともに浴槽に入槽させることができる介護用の入浴寝台に関する。
【背景技術】
【０００２】
従来、特許文献１に入浴用車椅子が提案されている。この入浴用車椅子は、座部と、座部の後端側に設けられ、座部に垂直面内で回動可能に連結されるバックレスト部と、バックレスト部の座部に対する傾きを段階的に切り替える切り替え機構とを備える。切り替え機構は、バックレスト部の後面側に配置される操作レバー部と、操作レバー部に取り付けられるロック軸と、座部の後方下部側に設けられ、後方に延びる延出部を含む位置決め板と、延出部に設けられ、ロック軸と係合する溝部とを有する。
【先行技術文献】
【特許文献】
【０００３】
【特許文献１】特開２０１７−５７７３９号公報
【発明の概要】
【発明が解決しようとする課題】
【０００４】
本発明は、上記従来の入浴用車椅子とは構成の異なる、簡易で堅牢な構造で、背もたれ部の傾斜角度の調整操作が容易なリクライニング機構を有する介護用入浴寝台を提供することを目的としている。
【課題を解決するための手段】
【０００５】
以下、添付図面の符号を参照して説明するが、本発明はこれに限定されるものではない。
上記課題を解決するための、本発明の介護用入浴寝台１は、座部２と、当該座部２の後部に設けられ、基端部において当該座部２対して垂直面内で回動可能に連結される背もたれ部３と、当該背もたれ部３の座部２に対する傾斜角度を起立方向にラチェット式に段階的に切り替える切り替え機構４とを備える。切り替え機構４は、ロック軸６とギア部材７とを具備する。ロック軸６は、座部２の後部の左右両側に設けられるブラケット８に支持され、座部２の左右に渡るように配置される。ギア部材７は、ロック軸６とラチェット式に係脱する複数の係合凹部７１を具備する。ロック軸６は、ギア部材７の係合凹部７１に係合して背もたれ部３の転倒方向の回動を抑止する支持位置と係合凹部７１から離脱した解放位置との間で軸線直交方向に移動自在で、支持位置側に付勢され、かつギア部材７と対向したとき当該ギア部材７との係合が解除される解除凹部６２を延長途上に有し、当該解除凹部６２がギア部材７に対向する解除位置と対向しない非解除位置との間を軸線方向に移動自在に構成される。
【発明の効果】
【０００６】
本発明の介護用入浴寝台は、簡易で堅牢な構造で、背もたれ部の傾斜角度の調整操作が容易であるという効果を有する。
【図面の簡単な説明】
【０００７】
【図１】本発明に係る介護用入浴寝台の斜視図であり、座部に対して背もたれ部の傾斜角度を４５°とした状態を示す。
【図２】図１の介護用入浴寝台の座部に対して背もたれ部の傾斜角度を０°とした状態を示す斜視図である。
【図３】図１の介護用入浴寝台の座部に対して背もたれ部の傾斜角度を０°とした状態における切り替え機構部の斜視図である。
【図４】図２の介護用入浴寝台における切り替え機構部の一部の平面図である。
【図５】図４におけるＶ−Ｖ断面図である。
【図６】図１の介護用入浴寝台の座部に対して背もたれ部の傾斜角度を０°から１５°に切り替える過程を示す説明図である。
【図７】図１の介護用入浴寝台の座部に対して背もたれ部の傾斜角度を３５°から４５°に切り替えた後、背もたれ部の支持を解除する過程を示す説明図である。
【発明を実施するための形態】
【０００８】
図面を参照して本発明の実施の形態を説明する。
図１、図２において、介護用入浴寝台１は、例えば図示しないストレッチャ上に着脱自在に構成され、使用時には、被介護者が着座した状態で、ストレッチャから分離し、リフト装置等を用いて被介護者と共に吊り上げて浴槽に浸漬させることができる。
【０００９】
寝台１は、例えば図示しないストレッチャ等の上に着脱自在の座部２と、これに対する傾斜角度を０°から４５°まで変更できるように、座部２の後部に枢着される背もたれ部３とを具備する。背もたれ部３と座部２との間には、背もたれ部３の座部２に対する傾斜角度を起立方向に段階的に変えることができ、転倒方向には所望の傾斜角度で固定されるラチェット式の切り替え機構４が設けられる。
【００１０】
座部２は、ステンレスパイプ材を概略矩形状に組んでなり、後部左右に、上方へ起立した枢支部２１を具備する。背もたれ部３は、ステンレスパイプ材を概略コ字状に屈曲させてなり、平行な左右一対の脚部３１の基端において、座部２の枢支部２１に枢ピン５で枢支される。
【００１１】
切り替え機構４は、ロック軸６とギア部材７とを具備する。ロック軸６は、座部２の後部左右両側に設けられるブラケット８に支持され、座部２の左右に渡るように配置される。ロック軸６は、ブラケット８から外側へ延出した一端側に、これを軸線方向に押し引きするための操作ハンドル部６１を具備する。ギア部材７は、背もたれ部３の両脚部３１の基端側に固着され、ロック軸６とラチェット式に係脱する複数の係合凹部７１と、隣接する係合凹部７１間に放射状に突出するの歯部７２とを具備する。
【００１２】
ブラケット８は、座部２の左右に渡って固着された取り付け板９上に固着される。ブラケット８は、図５によく示すように、斜め上下方向の長孔８１を具備する。ロック軸６は、この長孔８１に軸方向移動自在、かつ長孔８１の長軸に沿って斜め上下に移動自在に支持され、また、内装されたばね８２により、長孔８１の下端側の支持位置へ付勢される。
【００１３】
ロック軸６は、図６（Ｃ）、図７（Ａ）に示すように、下方の支持位置においてギア部材７の係合凹部７１に係合して背もたれ部３を所定の傾斜角度で支持し、図６（Ｂ）、図７（Ｂ）に示すように、上方の非支持位置において係合凹部７１から離脱して背もたれ部３を解放する。
【００１４】
ギア部材７は、背もたれ部３の両脚部３１間に渡って固着された取り付け板１０上に左右一対固着される。ギア部材７の係合凹部７１は、背もたれ部３の枢支点（ピン５）を中心とする円弧上に、相互に１５°の間隔を置いて４つ設けられ、ロック軸６に対向するように配置される。したがって、ギア部材７は背もたれ部３と一体にその枢支点５を中心に回動する。
【００１５】
ギア部材７の枢支点５がロック軸６より上方に配置され、係合凹部７１が斜め下方に開口部を向け配置されるので、ロック軸６が係合凹部７１に係合した図６（Ｃ）、図７（Ａ）の状態で、背もたれ部３にかかる荷重は係合凹部７１を介してロック軸６に下向きにかかる。ロック軸６は、長孔８１の下端にあって下方向には固定される。したがって、ロック軸６が係合凹部７１に係合した状態で背もたれ部３は転倒方向（図において反時計方向）へ回動することができない。しかし、背もたれ部３が起立方向（図において時計方向）へ押されると、図６（Ｂ）、図７（Ｂ）に示すように、ギア部材７が、歯部７２でロック軸６を非支持位置へ押し上げ、ロック軸６が係合する係合凹部７１を順次反時計方向隣接するに係合凹部７１に移すので、背もたれ部３の傾斜角度は起立方向に１５°ずつ段階的に変化する。図７（Ｃ）に示すように、背もたれ部３の傾斜角度が４５°に達すると、起立回転方向に歯部７２がないので、ロック軸６を非支持位置へ押し上げることができず、背もたれ部３は傾斜角度４５°で固定される。
【００１６】
図４，図７（Ｄ）に示すように、ロック軸６は、その延長途上に解除凹部６２を具備する。例えば、背もたれ部３が傾斜角度４５°で固定された図７（Ｃ）の状態で、操作ハンドル部６１を握ってロック軸６を図４において右へ軸線方向に移動操作（例えば５mm程度右へ引き出す。）し、解除凹部６２がギア部材７に対向する解除位置へ配置すると、図７（Ｄ）に示すように、ギア部材７が解除凹部６２に嵌合して、ロック軸６による支持を失う。この状態でギア部材７は解放され、自由回動可能となり、背もたれ部３を傾斜角度０°の初期位置へ戻すことができる。ロック軸６を解除位置から軸線方向反対側へ移動操作（例えば５mm程度左へ押し込む。）して、ロック位置へ戻すと、図４に示すように、解除凹部６２がギア部材７からずれて、ロック軸６をギア部材７と再びラチェット係合させることができる。ロック軸６が軸線方向に移動するとき、ばね８２が屈曲してこれを許容する。なお、ロック軸６は、長孔８１の縁部に摺接して軸周りの回転を抑止するための平坦面６３を具備する。
【００１７】
以上のように、本発明の介護用入浴寝台１は、簡易な構成で、堅牢であり、水没環境に不適なグリスの使用を必要とせず、また安価に提供できる。
【符号の説明】
【００１８】
１      介護用入浴寝台
２      座部
３      背もたれ部
３１    脚部
４      切替え機構
５      枢ピン
６      ロック軸
６１    操作ハンドル部
６２    解除凹部
６３    平坦面
７      ギア部材
７１    係合凹部
７２    歯部
８      ブラケット
８１    長孔
８２    ばね
【要約】
【課題】簡易で堅牢な構造で、背もたれ部の傾斜角度の調整操作が容易な介護用入浴寝台を提供する。
【解決手段】介護用入浴寝台１は、座部２と、これに枢支される背もたれ部３と、背もたれ部３の座部２に対する傾斜角度を起立方向にラチェット式に段階的に切り替える切り替え機構４とを備える。切り替え機構４は、ロック軸６とギア部材７とを具備する。ロック軸６はブラケット８の長孔８１に支持され、ギア部材７の係合凹部７１にラチェット式に係脱するように付勢される。ロック軸６は、軸線方向の移動操作で、解除凹部６２をギア部材７と対向させたとき、ギア部材７との係合が解除され、背もたれ部３が解放される。
【選択図】図１【図１】
0006764981.tif 000002
【図２】
0006764981.tif 000003
【図３】
0006764981.tif 000004
【図４】
0006764981.tif 000005
【図５】
0006764981.tif 000006
【図６】
0006764981.tif 000007
【図７】
0006764981.tif 000008